(57)【要約】【課題】着火装置への装着が容易であると共に、使用の都度着脱する必要がなく簡単に着火ヘッド部の火炎を覆うことも、又火炎を露出させることも可能である着火装置用風防体を提供する。【解決手段】着火素子と燃料ガスの噴出ノズルを有する着火装置の着火ヘッド部に着脱自在に被冠される風防体を、噴出ノズルからの火炎を覆う風防部と上記着火ヘッド部に装着する装着部とから構成する。そして上記装着部は上記着火ヘッド部に火炎方向に挿入して嵌合する嵌合内壁を有し、この装着部に対して上記風防部を上記挿入方向と略々直交する方向に螺合することによって火炎方向に移動可能に取付ける。これによって風防体を使用の都度着脱する必要も、着火装置と別に風防体を携帯する必要がなく、強風など必要とする都度風防部を、着火ヘッド部を覆うように突出させることが出来る。また、既に市販されている着火装置に装着して使用出来る。【選択図】図１
0003125482.tif 000002
【実用新案登録請求の範囲】
【請求項１】
着火素子と燃料ガスの噴出ノズルを有する着火装置の着火ヘッド部に着脱自在に被冠される風防体であって、
上記風防体は上記噴出ノズルからの火炎を覆う風防部と上記着火ヘッド部に装着する装着部とから構成され、
上記装着部は上記着火ヘッド部に火炎方向に挿入して嵌合する嵌合内壁を有し、
この装着部に対して上記風防部は上記挿入方向と略々直交する方向に螺合され火炎方向に移動可能に取付けられていることを特徴とする着火装置用風防体。
【請求項２】
前記風防部は上方が開口された筒状体で構成され、この筒状胴体で前記噴出ノズルからの火炎の周囲を覆うように構成されていることを特徴とする請求項１に記載の着火装置用風防体。
【請求項３】
前記風防部は上方と外周のそれぞれ一部が開口された筒状体で構成され、この筒状体で前記噴出ノズルからの火炎の周囲を覆うように構成されていることを特徴とする請求項１に記載の着火装置用風防体。
【請求項４】
着火素子と燃料ガスの噴出ノズルを有する着火装置の着火ヘッド部に着脱自在に被冠される風防体であって、
上記風防体は互いに嵌合された略々中空円筒形状の外筒体と内筒体で構成され、
上記中空円筒形状の内筒体には上記着火ヘッド部に火炎方向に挿入して嵌合固定する中空内壁部と、上記外筒体を係合支持する螺旋形状のガイド溝がそれぞれ設けられ、
上記中空円筒形状の外筒体は上記噴出ノズルからの火炎を覆う中空風防部を有し、
上記外筒体は上記内筒体に、上記ガイド溝に沿って火炎方向に移動可能に取付けられていることを特徴とする着火装置用風防体。
【請求項５】
燃料ガスを充填したタンクと、
上記タンクからのガスを噴出する噴出ノズルと、
上記噴出ノズルからのガスに着火する着火素子と、
上記噴出ノズルと着火素子を備えた着火ヘッド部と、
上記着火素子を操作する操作片と、
上記着火ヘッド部に着脱自在に被冠される風防体と、を備え、
上記風防体は上記噴出ノズルからの火炎を覆う風防部と上記着火ヘッド部に装着する装着部とから構成され、
上記装着部は上記着火ヘッド部に火炎方向に挿入して嵌合する嵌合内壁を有し、
上記風防部は上記装着部に対して上記挿入方向と略々直交する方向に螺合され火炎方向に移動可能に取付けられていることを特徴とする着火装置。
【請求項６】
前記着火ヘッド部は前記火炎方向に適宜長さを有する筒状形状で火炎方向に沿って先鋭状のテーパ面を有する外形形状に形成されていることを特徴とする請求項５に記載の着火装置。
【考案の詳細な説明】
【技術分野】
【０００１】
本考案は、ライターなどの着火装置に着脱自在に装着する風防体及びこれを備えた着火装置に係わり、戸外などで使用する際に着火した火炎が風で消火されるのを防ぐ風防体の改良に関する。
【背景技術】
【０００２】
一般にライターなどの着火装置は室内或いは戸外で煙草になどの目的物に着火する際の道具として広く使用されている。例えば煙草用のライターはノズルから噴出したガスに圧電素子などの着火素子で放電着火し、その炎で煙草に着火する構造として広く知られ、ガスを噴出するノズルは外筐ケースの風防部で容易に消火しないように保護されている。また、調理用などのガス器具などに着火する着火装置は比較的長い着火ヘッドを備え、この着火ヘッドから噴出した燃料ガスの火炎で目的物に着火している。
【０００３】
特に後者の着火ヘッドを備えた着火装置の場合、戸外の強風下ではノズルから噴出されたガスになかなか着火せず、或いは着火した火炎がすぐに消え容易に目的物に着火することができない問題がある。そこでこのような着火ヘッドに筒状の風防体を装着することが例えば特許文献１（実用新案登録第３１１５８４８号公報）に提案されている。同文献にはカップ状に形成した風防を着火ヘッド部に装着することが提案され、金属製の着火ヘッド部に磁石で吸引装着する構造が提案されている。また特許文献２（実用新案登録第３０２７１５３号公報）には煙草用のライターの外装ケースを円筒形状に形成してライター本体に形成した螺旋溝に嵌合し、戸外での使用時には外装ケースを突出させて噴出ノズルの周囲を覆う風防付きライターが提案されている。
【特許文献１】実用新案登録第３１１５８４８号公報
【特許文献２】実用新案登録第３０２７１５３号公報
【考案の開示】
【考案が解決しようとする課題】
【０００４】
上述のように所定の長さの着火ヘッド部を有する着火装置に風防体を着脱自在に装着し、戸外で使用する際にノズルからの火炎を覆って強風下であっても確実に点火して目的物に着火する場合に、従来は前掲特許文献１に開示されているように、筒状或いはカップ状の大型な風防体を磁石などで装着としている。従って、着火装置を室内で使用する場合には風防体を取り外し、戸外で使用する場合には風防体を装着しているため、風防体と着火装置を常にセットで保管或いは持参しなければならず風防体を紛失するなど不便である。
【０００５】
一方、前掲特許文献２に開示されているように着火装置の外装ケースを、噴出ノズルを覆うように出没自在に構成する場合には、上述のように使用の都度風防体を着脱することも、また紛失する恐れもない。しかし、着火装置自体の外装ケースを火炎方向に移動可能に構成することは既に市販され多用されている着火装置に採用することは出来ない。
【０００６】
そこで本考案は、着火装置への装着が容易であると共に、使用の都度着脱する必要がなく簡単に着火ヘッドの火炎を覆うことも、又火炎を露出させることも可能である着火装置用風防体の提供をその主な課題としている。
更に本考案は着火装置に風防体を装着する操作方向とこの風防体を火炎方向に出没させる操作方向を異ならせることによって着火装置から風防体が容易に離脱することのない着火装置用風防体及びこれを備えた着火装置の提供を課題としている。
【課題を解決するための手段】
【０００７】
本考案は、上記課題を解決するために以下の構成を採用する。請求項１の考案は、着火素子と燃料ガスの噴出ノズルを有する着火装置の着火ヘッド部に着脱自在に被冠される風防体を、噴出ノズルからの火炎を覆う風防部と上記着火ヘッド部に装着する装着部とから構成する。そして上記装着部は上記着火ヘッド部に火炎方向に挿入して嵌合する嵌合内壁を有し、この装着部に対して上記風防部を上記挿入方向と略々直交する方向に螺合することによって火炎方向に移動可能に取付ける。これによって風防体を使用の都度着脱する必要も、着火装置と別に風防体を携帯する必要がなく、強風など必要とする都度風防部を、着火ヘッド部を覆うように突出させることが出来る。従って既に市販されている着火装置に装着して使用することが出来る。
【０００８】
また、請求項２の考案は、請求項１の構成において、前記風防部を上方が開口された筒状体で構成し、この筒状胴体で前記噴出ノズルからの火炎の周囲を覆うように構成する。これによって、火炎方向に移動自在に取付けられた風防部は噴出ノズルを外部に露出した状態とその周囲を筒状体で覆った状態で環境条件に応じて使用することが出来る。
【０００９】
また、請求項３の考案は、請求項１の構成において、前記風防部は上方と外周のそれぞれ一部が開口された筒状体で構成し、この筒状体で前記噴出ノズルからの火炎の周囲を覆うように構成する。これによって噴出ノズルからのガスは筒状体の外周に形成された開口から適度の空気を取入れて燃焼する。
【００１０】
また、請求項４の考案は、着火素子と燃料ガスの噴出ノズルを有する着火装置の着火ヘッド部に着脱自在に被冠される風防体であって、上記風防体は互いに嵌合された略々中空円筒形状の外筒体と内筒体で構成され、上記中空円筒形状の内筒体には上記着火ヘッド部に火炎方向に挿入して嵌合固定する中空内壁部と、上記外筒体を支持する螺旋形状のガイド溝がそれぞれ設けられ、上記中空円筒形状の外筒体は上記噴出ノズルからの火炎を覆う中空風防部を有し、上記外筒体は上記内筒体に、上記ガイド溝に沿って火炎方向に移動可能に取付ける。これによって前記請求項１の考案と同様の作用を果たす。
【００１１】
また、本考案に係わる着火装置は、燃料ガスを充填したタンクと、上記タンクからのガスを噴出する噴出ノズルと、上記噴出ノズルからのガスに着火する着火素子と、上記噴出ノズルと着火素子を備えた着火ヘッド部と、上記着火素子を操作する操作片と、上記着火ヘッド部に着脱自在に被冠される風防体とを備える。そして上記風防体は上記噴出ノズルからの火炎を覆う風防部と上記着火ヘッド部に装着する装着部とから構成され、上記装着部は上記部に火炎方向に挿入して嵌合する嵌合内壁を有し、上記風防部は上記装着部に対して上記挿入方向と略々直交する方向に螺合され火炎方向に移動可能に取付ける。
【００１２】
これによって適宜長さに構成された着火ヘッド部の噴出ノズルからの火炎は、この火炎方向に移動可能に螺合された風防部で火炎を外部の風雨から覆った状態で目的物に着火することも、また噴出とノズルから火炎周囲を開放した状態で目的物に着火することも出来る。また、風防部を非使用時には着火ヘッドの下方に移動収納することによって嵩張らずに携帯することが出来る。
【００１３】
また、請求項６の考案は、請求項５の構成において、前記着火ヘッド部は前記火炎方向に適宜長さを有する筒状形状で火炎方向に沿って先鋭状のテーパ面を有する外形形状に形成する。これによって加工時の寸法精度のバラツキに拘わらず前記装着部を着火ヘッド部に確実に嵌合支持することが出来る。
【考案の効果】
【００１４】
本願請求項１の考案は、燃料ガスの噴出ノズルを備えた着火ヘッド部に、このヘッド部に装着する装着部と噴出ノズルからの火炎を覆う風防部とを備えた風防体において、装着部には着火ヘッド部に火炎方向に挿入して嵌合する嵌合内壁を設け、風防部はこの装着部に火炎方向と略々直交する方向に移動可能に螺合したものであるから次の効果を有する。
（１）風防体は各種着火装置の着火ヘッド部に装着した状態で強風など使用環境に応じてその風防部を、火炎を覆う状態に移動して使用することも、また、風防部で火炎を覆うことなく着火ヘッド部を露出した状態で使用することもそのいずれの使用も可能となる。従って強風など使用環境と着火する目的物の状態例えば室外で煙草、線香などに着火する場合には風防部で火炎を覆い、薪木、木炭などに直接着火する場合には風防部で火炎を覆うことなく使用することが出来る。
（２）風防体は着火ヘッド部に装着した状態で火炎を覆う姿勢と、火炎を覆うことなく露出させる姿勢に変更することが出来るため、使用の都度風防体を着火装置に着脱する必要がなく、また風防体と着火装置とをセットで携帯する必要がない。従って風防体の取扱いが容易であり、同時に紛失する恐れがない。
（３）特に風防体は、着火ヘッド部に装着部を火炎方向に挿入して装着され、火炎を覆う風防部は装着部に、挿入方向と異なる方向に螺合されているため、装着方向と異なる方向に回転することによって火炎方向に移動するように構成されている。従って風防部を火炎方向に移動操作する際に着火ヘッド部から離脱する恐れがない。
（４）上述のように互いに螺合された装着部と風防部とは例えば装着部の嵌合内壁の内径を市販の着火装置の着火ヘッド部径に合致させるのみで、既に市販され使用されている種々の着火装置に容易に装着することが出来る。
【００１５】
また、請求項２の考案は上記効果に加え、風防部は上方が開口された筒状体で構成されているから、例えば筒形状の着火ヘッド部の外周に筒状の装着部を、この装着部の外周に筒状の風防部をそれぞれ嵌合することによって風防部を小型に構成することが出来、着火装置の使用時の形態をコンパクトにすることが出来る。
【００１６】
また、請求項３の考案は風防部を上方と外周の一部が開口された筒状体で構成することによって着火ヘッド部の火炎外周を覆う側壁部の開口から空気を取入れて燃料ガスの燃焼を妨げることがない。また、着火ヘッド部の火炎外周を大きく覆うことも可能である。
【００１７】
また、請求項４の考案は、風防体を互いに嵌合された略々中空円筒形状の外筒体と内筒体で構成し、この内筒体には上記着火ヘッド部に火炎方向に挿入して嵌合固定する中空内壁部と、外筒体を支持する螺旋形状のガイド溝が設けられ、このガイド溝に沿って外筒体は火炎方向に移動可能に構成されているから上記請求項１の考案と同様の効果を奏する。
【００１８】
請求項５の考案は、燃料ガスを充填したタンクと、上記タンクからのガスを噴出する噴出ノズルと、上記噴出ノズルからのガスに着火する着火素子と、上記噴出ノズルと着火素子を備えた着火ヘッド部と、上記着火素子を操作する操作片と、上記着火ヘッド部に着脱自在に被冠される風防体とを備え、この風防体は上述の構成で構成されているから、適宜長さに構成された着火ヘッド部の噴出ノズルからの火炎は、この火炎方向に移動可能に螺合された風防部で火炎を外部の風雨から覆った状態で目的物に着火することも、また噴出とノズルから火炎周囲を開放した状態で目的物に着火することも出来る。また、風防部を非使用時には着火ヘッドの下方に移動収納することによって嵩張らずに携帯することが出来る。
【００１９】
請求項６の考案は、上記着火ヘッド部を筒状形状で火炎方向に沿って先鋭状のテーパ面を有する外形形状に形成したものであるから、これによって加工時の寸法精度のバラツキに拘わらず前記装着部を着火ヘッド部に確実に嵌合支持することが出来る。
【考案を実施するための最良の形態】
【００２０】
以下図示の好適な実施の態様に基づいて本考案を詳述する。図１は本考案に係わる風防体を装着した着火装置Ａの全体説明図であり、図２は風防体Ｂの詳細構造の説明図、図３は着火装置Ａの詳細構造の説明図である。図４は図２の風防体の使用状態説明図であり、（ａ）は風防体で火炎を覆う使用状態の説明図、（ｂ）は火炎を露出させた使用状態の説明図である。図５は図２の風防体と異なる形態を示し、風防部の側壁に空気流入孔を設けた場合を示す説明図である。図６は図２の風防体と異なる形態を示す説明図である。
【００２１】
まず、本考案の着火装置Ａについて説明すると、図３に示すようにケーシング１と、このケーシングに内蔵されたタンク２と着火素子３と着火ヘッド部４とで構成されている。ケーシング１は金属、プラスチックなどで筒状形状に構成され、内部にタンク２が内蔵されている。このタンク２には燃料ガスが封入されている。着火素子３は例えば圧電素子３ａとこの圧電素子を殴打するハンマー部材３ｂと、このハンマー部材を操作する操作片３ｃとから構成されている。
【００２２】
この着火素子３は詳細を図示しないが例えば圧電素子（ピエゾ素子）３ａを収納したシリンダ部に操作片３ｃに連結したピストン部を摺動自在に嵌合し、このピストン部にはハンマー部材３ｂと蓄圧スプリングを内蔵する。そして操作片３ｃでピストン部を図示下方に押下すると蓄圧スプリングに蓄圧され、更に操作片３ｃを押下するとハンマー部材３ｂが蓄圧スプリングの蓄力で圧電素子３ａを激打する。この圧電素子３ａの殴打によって高周波電圧が生起される。
【００２３】
上記ケーシング１には、その先端部に着火ヘッド部４が設けられている。この着火ヘッド部４は例えば金属などの耐熱性素材で適宜長さＬ、外径ｄ４で中空筒形状に形成され、その基端部４ａをケーシング１に連結固定されている。図示の着火ヘッド部４は金属製の中空筒体で構成され、その外形は火炎方向（後述の噴出ノズルの方向）に先鋭状となるように外径ｄ４は先端に向かって徐々に小さく形成されている。
【００２４】
また上記ケーシング１には適宜個所に操作片３ｃが回動若しくは摺動自在に取付けられ、図示のものはケーシング１と着火ヘッド部４との連結部に上下摺動自在に支持されている。そしてこの操作片３ｃは前述の蓄圧スプリングの作用で上方向に付勢され、この付勢力に反して操作片３ｃを押下することによって前述の圧電素子３ａに高圧起電力を発生させるようになっている。そこで適宜長さＬに構成された着火ヘッド部４の先端部４ｂには上記圧電素子３ａの出力線と、これに電気的に連結された放電端子５が配置されている。これと同時に着火ヘッド部４の先端部４ｂには噴出ノズル６が上記放電端子５の直下に配置され、この噴出ノズル６には上記タンク２のガス燃料の導通パイプが連結されている。
【００２５】
上記噴射ノズル６には図示しないが内部に制御弁が設けられ、例えば噴出ノズル６を操作片３ｃで持ち上げ操作することによってタンク２内の燃料ガスが噴出ノズル６から外部に噴出されるように構成されている。従って、操作片３ｃを図３下方に押下すると噴出ノズル６から燃料ガスが噴出し、圧電素子３ａに高圧電流が生起される。この高圧電流は放電端子５とノズル先端との間で放電して燃料ガスに点火する。なお、上述の着火装置Ａはその構造の一例を示し、この他、着火装置Ａとしては種々の構造が知られ、そのいずれもが採用可能である。例えば上記圧電素子３ａの代わり着火石（フリント）を用いることも良く知られた方法であり、勿論このような着火方法も採用可能である。
【００２６】
次に本考案に係わる風防体Ｂについて説明する。図２に示すように風防体Ｂは装着部７と風防部８とで構成され、装着部７は上記着火装置Ａの着火ヘッド部４の外周に嵌合され、この着火ヘッド部４に取付けられる。また、風防部８は前記噴出ノズル６からの火炎の周囲を覆うように構成され、上記装着部７に螺合され火炎方向に移動可能に取付けられる。まず装着部７は着火ヘッド部４の外周に嵌合される中空円筒形状に形成され、その嵌合内壁７ｂの内径ｄ７は着火ヘッド部４の外径ｄ４と実質的に同一径に構成されている。
【００２７】
この場合着火ヘッド部４の外周形状は火炎方向に対して先鋭形状のテーパ面を備えているため、それぞれの寸法精度に拘わらず確実に嵌合される。また装着部７の外周には火炎方向に対し略々直交する方向にネジ溝７ａが刻設されている。
【００２８】
上記風防部８は図２に示すように上記装着部７の外周に嵌合される筒状体で構成され、この中空筒状体で噴出ノズル６からの火炎周囲を覆うようになっている。そしてこのように形成された風防部８は前記装着部７の外周に形成された螺旋状のネジ溝７ａにネジピン８ａで係合され、風防部８は装着部７に連結されている。
【００２９】
従って、風防部８はネジピン８ａを介してネジ溝７ａにガイドされ、図２時計方向に回転すると風防部８は火炎方向に突出し、図４（ａ）の状態に装着部７から火炎方向外部に突出する。また風防部８を反時計方向に回転するとこの風防部８は装着部７と重なって図４（ｂ）の状態となる。このようにネジ溝７ａが風防部８のガイド溝となり、風防部８は図４（ａ）、（ｂ）のそれぞれ異なる姿勢となる。
【００３０】
尚、図示９ａ、９ｂは上記装着部７のネジ溝７ａの端部に形成されたフランジであり、上記ネジピン８ａは上記時計方向回転で下部フランジ９ａに衝突し、また反時計方向回転で上部フランジ９ｂに衝突してそれぞれ係止され、装着部７から離脱しないようになっている。
【００３１】
次に図５は図２と異なる実施形態を示し、図２で説明した風防部８の外周に空気導入孔８ｂを設けた場合を示し、その他の構成は図２のものと同様である。このように風防部８の周側部に通孔などの開口を設けることによって、風防部８でノズルからの火炎を覆った際にノズル部に空気を供給して確実な燃焼を保持することが可能となる。
【００３２】
次に図６に示すものは図２と異なる実施形態を示し、図２で説明した風防部８は中空円筒体で構成した場合を示したが、例えば束状の線香に屋外で着火する場合などに火炎外周を大きく覆う必要がある。この為図示のものは風防部１０を半裁円筒形状の先端フード部１０ａと装着部１１に嵌合する基端固定部１０ｂとで構成している。そして先端フード部１０ａは比較的大径の半裁筒形状に構成し、周側部には開口を設けている。従ってこの先端フード部１０ａを風上に向けて使用すれば束状の線香などに簡単に着火することが出来る。
【００３３】
尚、上記基端固定部１０ｂは中空円筒形状に形成された装着部１１に形成した螺旋形状のガイド溝１１ａにネジピン１１ｂで嵌合され、風防部１０を図示時計方向に回動すると先端フード部１０ａは着火ヘッド部４から火炎方向に突出して噴出ノズル６からの火炎外周を覆うこととなる。また風防部１０を反時計方向に回動すると先端フード部１０ａは着火ヘッド部４に沿って下降し、噴出ノズル６は外部に露出されることとなる。なお、上記基端固定部１０ｂは図２のものと同様に着火ヘッド部４に、火炎方向に挿入することによって嵌合固定されている。
【００３４】
次に上記構成の作用について説明すると、本考案の風防体Ｂは既に市販されている着火装置Ａの着火ヘッド部４に、その装着部７を嵌合固定し、この装着方向と異なる方向に風防部８を回転操作することによって図４（ａ）のノズル軸方向に突出し火炎外周を覆う使用態様と、同図（ｂ）の噴出ノズル６を露出した使用態様に簡単に変更することが可能となる。そこで屋外において強風下であっても同図（ａ）の状態で煙草、線香その他棒状の目的物に着火することが出来る。また、例えば薪木、木炭などに直接着火する場合には同図（ｂ）の状態で風防部８は着火ヘッド部から後退して着火操作を妨害することなく、通常の着火装置として使用することが出来る。
【図面の簡単な説明】
【００３５】
【図１】本考案に係わる風防体を装着した着火装置の全体説明図。
【図２】図１の装置における風防体の詳細構造の説明図。
【図３】図１の装置における着火装置Ａの詳細構造の説明図。
【図４】図２の風防体の使用状態説明図であり、（ａ）は風防体で火炎を覆う使用状態の説明図、（ｂ）は火炎を露出させた使用状態の説明図。
【図５】図２の風防体と異なる形態を示し、風防部の側壁に空気流入孔を設けた場合を示す説明図。
【図６】図２の風防体と異なる形態を示す説明図。
【符号の説明】
【００３６】
Ａ      着火装置
Ｂ      風防体
１      ケーシング
４      着火ヘッド部
４ａ    基端部
４ｂ    先端部
６      噴出ノズル
７      装着部
７ａ    ネジ溝
７ｂ    嵌合内壁
８      風防部
８ａ    ネジピン
８ｂ    空気導入孔
９ａ    フランジ
９ｂ    フランジ
１０    風防部（変形例）
１０ａ  先端フード部
１０ｂ  基端固定部
１１    装着部（変形例）
１１ａ  ガイド溝
１１ｂ  ネジピン
【図１】
0003125482.tif 000003
【図２】
0003125482.tif 000004
【図３】
0003125482.tif 000005
【図４】
0003125482.tif 000006
【図５】
0003125482.tif 000007
【図６】
0003125482.tif 000008